【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側が利用するサーバーに備えられているものを含む）と、
現実の店舗において陳列されている「前記陳列商品の表面又はその近傍の位置」に配置されているアクセス情報記録手段であって、「前記メッセージ等記録手段に記録されている、前記の自らの配置位置に対応する『或る陳列商品（特定物）もしくは或る種類の陳列商品（不特定物）』に関する前記『メッセージ等』」にアクセスするための情報を、記録しておくためのアクセス情報記録手段と、
を備えたことを特徴とする現実の店舗内における陳列商品に関する情報提供装置。
【請求項２】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側が利用するサーバーに備えられているものを含む）と、
現実の店舗において陳列されている「前記陳列商品の表面又はその近傍の位置」に配置されているアクセス情報記録手段であって、「前記メッセージ等記録手段に記録されている、前記の自らの配置位置に対応する『或る陳列商品（特定物）もしくは或る種類の陳列商品（不特定物）』に関する前記『メッセージ等』」にアクセスするための情報を、記録しておくためのアクセス情報記録手段と、
前記メッセージ等記録手段に記録されている、前記『或る陳列商品（特定物）もしくは或る種類の陳列商品（不特定物）』に関する前記『メッセージ等』にアクセスするための情報を、現実の店舗内の「或る陳列商品（特定物）もしくは或る種類の陳列商品（不特定物）」の近傍に存在している情報受信手段に対して、無線手段を介して送信するアクセス情報送信手段と、
を備えたことを特徴とする現実の店舗内における陳列商品に関する情報提供装置。
【請求項３】
現実の店舗内に配置された識別情報等記録手段であって、現実の店舗において陳列されている各「陳列商品（特定物）又は陳列商品（不特定物）の種類」（以下『商品等』という）との１対１の関係が分かるような位置（前記各商品の表面をも含む）に配置されており、「前記の自らが配置された位置に対応する『商品等』を識別するための識別情報もしくは前記『商品等』についての他の消費者の「感想、評価、意見、もしくは店舗側への問合せや要望や注文や申込みなどのメッセージ」にアクセスするための情報その他の前記識別情報に対応する情報」（以下『識別情報等』という）を記録しておくための識別情報等記録手段と、
現実の店舗内に配置された識別情報等送信手段（前記識別情報等記録手段とハードウェア的に一体でもよいし別体でもよい）であって、前記識別情報等記録手段に記録されている『識別情報等』を、ユーザー側に向けて、無線手段を介して、送信する識別情報等送信手段と、
店舗側が運営もしくは利用しているサーバーにより構成される（若しくは前記サーバーに備えられた）感想等受信手段であって、各『商品等』に関する「感想、評価、意見、もしくは店舗側への問合せや要望や注文や申込みなどのメッセージ」を、他の消費者側から通信ネットワークを介して受信する感想等受信手段と、
店舗側が運営もしくは利用しているサーバーにより管理される（若しくは前記サーバーに備えられた）感想等記録手段であって、前記感想受信手段により受信された各『商品等』に関する他の消費者の「感想、評価、意見、もしくは店舗側への問合せや要望や注文や申込みなどのメッセージ」を、「前記の各『商品等』を識別する識別情報もしくは前記各『商品等』についての他の消費者の「感想、評価、意見、もしくは店舗側への問合せや要望や注文や申込みなどのメッセージ」にアクセスするための情報その他の前記識別情報に対応する情報」（前記識別情報等記録手段が各『商品等』と対応付けてそれぞれ記録している『識別情報等』と同一の又はこれと対応する情報）と対応付けて記録しておくための感想等記録手段と、
店舗側が運営しているサーバーにより構成される（若しくは前記サーバーに備えられた）送信要求受信手段であって、ユーザー側から送信されてきた「或る『商品等』についての他の消費者の「感想、評価、意見、もしくは店舗側への問合せや要望や注文や申込みなどのメッセージ」の送信を求める送信要求（「前記識別情報等送信手段からユーザー側に送信された、前記或る『商品等』に対応する『識別情報等』を含む）」を受信する送信要求受信手段と、
店舗側が運営しているサーバーにより構成される（若しくは前記サーバーに備えられた）感想等送信手段であって、前記ユーザー側からの送信要求に対応して、「前記感想等記録手段に記録されている、前記送信要求に対応する『商品等』についての他の消費者の『感想、評価、意見、もしくは店舗側への問合せや要望や注文や申込みなどのメッセージ』」を、前記要求を送信してきたユーザー側に向けて送信する感想等送信手段と、
を含み、前記感想等送信手段は、前記ユーザー側からの送信要求であって前記識別情報等送信手段から送信された『識別情報等』に対応する「前記現実の店舗内に陳列されている或る『商品等』」についての他の消費者の「感想、評価、意見、もしくは店舗側への問合せや要望や注文や申込みなどのメッセージ」を送信してくれとの送信要求が、前記送信要求受信手段により受信されたことに対応して、「前記感想等記録手段に記録されている、前記『識別情報等』に対応する『商品等』についての他の消費者の『感想、評価、意見、もしくは店舗側への問合せや要望や注文や申込みなどのメッセージ』」を、前記ユーザー側に向けてネットワーク経由で送信するものである、ことを特徴とする現実の店舗内における陳列商品に関する情報提供装置。
【請求項４】
現実の店舗内に配置された識別情報等記録手段であって、現実の店舗において陳列されている各『陳列商品（特定物）又は陳列商品（不特定物）の種類』（以下『商品等』という）との１対１の関係が分かるような位置（前記各商品の表面をも含む）に配置されており、「前記の自らが配置された位置に対応する『商品等』を識別するための識別情報もしくは前記『商品等』についての他の消費者の「感想、評価、意見、もしくは店舗側への問合せや要望や注文や申込みなどのメッセージ」にアクセスするための情報その他の前記識別情報に対応する情報」（以下『識別情報等』という）を記録しておくための識別情報等記録手段と、
現実の店舗内に配置された識別情報等送信手段（前記識別情報等記録手段とハードウェア的に一体でもよいし別体でもよい）であって、「前記識別情報等記録手段に記録されている、前記各『商品等』に関する『識別情報等』」を、ユーザー側に向けて、無線手段を介して、送信する識別情報等送信手段と、
店舗側が運営もしくは利用しているサーバーにより構成される（若しくは前記サーバーに備えられた）感想等受信手段であって、各『商品等』に関する他の消費者の「感想、評価、意見、もしくは店舗側への問合せや要望や注文や申込みなどのメッセージ」を、他の消費者側から通信ネットワークを介して受信する感想等受信手段と、
店舗側が運営もしくは利用しているサーバーにより管理される（若しくは前記サーバーに備えられた）感想等記録手段であって、前記感想等受信手段により受信された各『商品等』に関する他の消費者の「感想、評価、意見、もしくは店舗側への問合せや要望や注文や申込みなどのメッセージ」を、「前記の各『商品等』を識別するための識別情報もしくは前記各『商品等』についての他の消費者の「感想、評価、意見、もしくは店舗側への問合せや要望や注文や申込みなどのメッセージ」にアクセスするための情報その他の前記識別情報に対応する情報」（前記識別情報等記録手段が各『商品等』と対応付けてそれぞれ記録している『識別情報等』と同一の又はこれと対応する情報）と対応付けて記録しておくための感想等記録手段と、
店舗側が運営しているサーバーにより構成される（若しくは前記サーバーに備えられた）送信要求受信手段であって、ユーザー側から送信されてきた「或る『商品等』についての他の消費者の「感想、評価、意見、もしくは店舗側への問合せや要望や注文や申込みなどのメッセージ」の送信を求める送信要求（「前記識別情報等送信手段からユーザー側に送信された、前記或る『商品等』に対応する『識別情報等』を含む）」を受信する送信要求受信手段と、
店舗側が運営しているサーバーにより構成される（若しくは前記サーバーに備えられた）感想等送信手段であって、前記ユーザー側からの送信要求に対応して、「前記感想等記録手段に記録されている、前記送信要求に対応する『商品等』についての他の消費者の『感想、評価、意見、もしくは店舗側への問合せや要望や注文や申込みなどのメッセージ』」を、前記要求を送信してきたユーザー側に向けて送信する感想等送信手段と、
を含むことを特徴とする現実の店舗内における陳列商品に関する情報提供装置。
【請求項５】
店舗側が運営もしくは利用しているサーバーにより構成される（若しくは前記サーバーに備えられた）感想等受信手段であって、各「商品（特定物）又は商品（不特定物）の種類」（以下『商品等』という）に関する他の消費者の「感想、評価、意見、もしくは店舗側への問合せや要望や注文や申込みなどのメッセージ」を、他の消費者側から通信ネットワークを介して受信する感想等受信手段と、
店舗側が運営もしくは利用しているサーバーにより管理される（若しくは前記サーバーに備えられた）感想等記録手段であって、前記感想等受信手段により受信された各『商品等』に関する他の消費者の「感想、評価、意見、もしくは店舗側への問合せや要望や注文や申込みなどのメッセージ」を、「各『商品等』を識別するための識別情報もしくは前記各『商品等』についての他の消費者の「感想、評価、意見、もしくは店舗側への問合せや要望や注文や申込みなどのメッセージ」にアクセスするための情報その他の前記識別情報に対応する情報」（後述の識別情報等記録手段が各『商品等』と対応付けてそれぞれ記録している後述の『識別情報等』と同一の又はこれと対応する情報）と対応付けて記録しておくための感想等記録手段と、
店舗側が運営しているサーバーにより構成される（若しくは前記サーバーに備えられた）送信要求受信手段であって、ユーザー側から送信されてきた「或る『商品等』についての他の消費者の「感想、評価、意見、もしくは店舗側への問合せや要望や注文や申込みなどのメッセージ」の送信を求める送信要求（後述の識別情報等記録手段が各『商品等』と対応付けてそれぞれ記録している後述の『識別情報等』又はこれと対応する情報を含む）」を受信する送信要求受信手段と、
店舗側が運営しているサーバーにより構成される（若しくは前記サーバーに備えられた）感想等送信手段であって、前記ユーザー側からの送信要求に対応して、「前記感想記録手段に記録されている、前記送信要求に対応する『商品等』についての他の消費者の『感想、評価、意見、もしくは店舗側への問合せや要望や注文や申込みなどのメッセージ』」を、前記要求を送信してきたユーザー側に向けて送信する感想等送信手段と、
現実の店舗内に配置された識別情報等記録手段であって、現実の店舗において陳列されている各『商品等』との１対１の関係が分かるような位置（各商品の表面をも含む）に配置されており、「前記の自らが配置された位置に対応する『商品等』を識別するための識別情報もしくは前記『商品等』についての他の消費者の「感想、評価、意見、もしくは店舗側への問合せや要望や注文や申込みなどのメッセージ」にアクセスするための情報その他の前記識別情報に対応する情報」（前記感想記録手段に記録されている「情報」と同一の又はこれと対応する情報。以下『識別情報等』という）を記録しておくための識別情報等記録手段と、
現実の店舗内に配置された識別情報等送信手段（前記識別情報等記録手段とハードウェア的に一体でもよいし別体でもよい）であって、前記識別情報等記録手段に記録されている『識別情報等』を、ユーザー側に向けて、無線手段を介して、送信する識別情報等送信手段と、
を含み、前記感想等送信手段は、ユーザー側からの送信要求であって前記識別情報等送信手段により送信された「前記現実の店舗内に陳列されている或る『商品等』を識別するための識別情報等」に対応する『商品等』についての他の消費者の「感想、評価、意見、もしくは店舗側への問合せや要望や注文や申込みなどのメッセージ」を送信してくれとの送信要求が、前記送信要求受信手段により受信されたことに対応して、「前記感想記録手段に記録されている、前記『識別情報等』に対応する『商品等』についての他のユーザーの『感想、評価、意見、もしくは店舗側への問合せや要望や注文や申込みなどのメッセージ』」を、前記ユーザー側に向けてネットワーク経由で送信するものである、ことを特徴とする現実の店舗内における陳列商品に関する情報提供装置。
【請求項６】
店舗側が運営もしくは利用しているサーバーにより構成される（若しくは前記サーバーに備えられた）感想等受信手段であって、各「商品（特定物）又は商品（不特定物）の種類」（以下『商品等』という）に関する他の消費者の「感想、評価、意見、もしくは店舗側への問合せや要望や注文や申込みなどのメッセージ」を、他の消費者側から通信ネットワークを介して受信する感想等受信手段と、
店舗側が運営もしくは利用しているサーバーにより管理される（若しくは前記サーバーに備えられた）感想等記録手段であって、前記感想等受信手段により受信された各『商品等』に関する他の消費者の「感想、評価、意見、もしくは店舗側への問合せや要望や注文や申込みなどのメッセージ」を、「前記の各『商品等』を識別するための識別情報もしくは前記各『商品等』についての他の消費者の「感想、評価、意見、もしくは店舗側への問合せや要望や注文や申込みなどのメッセージ」にアクセスするための情報その他の前記識別情報に対応する情報」（後述の識別情報等記録手段が各『商品等』と対応付けてそれぞれ記録している後述の『識別情報等』と同一の又はこれと対応する情報）と対応付けて記録しておくための感想等記録手段と、
店舗側が運営しているサーバーにより構成される（若しくは前記サーバーに備えられた）送信要求受信手段であって、ユーザー側から送信されてきた「或る『商品等』についての他の消費者の「感想、評価、意見、もしくは店舗側への問合せや要望や注文や申込みなどのメッセージ」の送信を求める送信要求（「後述の識別情報等送信手段からユーザー側に送信された、前記或る『商品等』に対応する『識別情報等』」又はこれに対応する情報を含む）」を受信する送信要求受信手段と、
店舗側が運営しているサーバーにより構成される（若しくは前記サーバーに備えられた）感想等送信手段であって、前記ユーザー側からの送信要求に対応して、前記送信要求に含まれていた前記『識別情報等』」又はこれに対応する情報に基づいて、「前記感想等記録手段に記録されている、前記送信要求に対応する『商品等』についての他の消費者の『感想、評価、意見、もしくは店舗側への問合せや要望や注文や申込みなどのメッセージ』」を、前記要求を送信してきたユーザー側に向けてネットワーク経由で送信する感想等送信手段と、
現実の店舗内に配置された識別情報等記録手段であって、現実の店舗において陳列されている各『商品等』との１対１の関係が分かるような位置（各商品の表面をも含む）に配置されており、「前記の自らが配置された位置に対応する『商品等』を識別するための識別情報もしくは前記『商品等』についての他の消費者の「感想、評価、意見、もしくは店舗側への問合せや要望や注文や申込みなどのメッセージ」にアクセスするための情報その他の前記識別情報に対応する情報」（前記感想記録手段に記録されている「情報」と同一の又はこれと対応する情報。以下『識別情報等』という）を記録しておくための識別情報等記録手段と、
現実の店舗内に配置された識別情報等送信手段（前記識別情報等記録手段とハードウェア的に一体でもよいし別体でもよい）であって、前記識別情報等記録手段に記録されている『識別情報等』を、ユーザー側に向けて、無線手段を介して、送信する識別情報等送信手段と、
を含むことを特徴とする現実の店舗内における陳列商品に関する情報提供装置。
【請求項７】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面もしくは近傍の位置」に配置されている識別情報等記録手段であって、前記の自らの配置位置に対応する「或る陳列商品（特定物）もしくは或る種類の陳列商品（不特定物）」を特定もしくは識別するための情報又はこれに対応する情報を、記録しておくための識別情報等記録手段と、
「前記識別情報等記録手段に記録されている、前記『或る陳列商品（特定物）もしくは或る種類の陳列商品（不特定物）』を特定もしくは識別するための情報又はこれに対応する情報」を、前記「或る陳列商品（特定物）もしくは或る種類の陳列商品（不特定物）」の近傍に存在している識別情報等受信手段に対して、無線手段を介して送信する識別情報等送信手段と、
前記識別情報等送信手段により送信された前記情報を受信したことに対応して、前記メッセージ等記録手段に記録されている『メッセージ等』であって前記情報に対応する前記『或る陳列商品（特定物）もしくは或る種類の陳列商品（不特定物）』についての顧客からの『メッセージ等』を、前記メッセージ等記録手段から受信して表示するメッセージ等表示手段と、
を備えたことを特徴とする現実の店舗内における陳列商品に関する情報提供装置。
【請求項８】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面もしくは近傍の位置」に配置されている識別情報等記録手段であって、前記の自らの配置位置に対応する「或る陳列商品（特定物）もしくは或る種類の陳列商品（不特定物）」を特定もしくは識別するための情報又はこれに対応する情報を、記録しておくための識別情報等記録手段と、
現実の店舗において陳列されている或る陳列商品（特定物）又は或る陳列商品（不特定物）の種類との１対１の関係が分かるような「前記陳列商品の表面もしくは近傍の位置」に配置されている識別情報等送信手段であって、前記の自らの配置位置に対応する「或る陳列商品（特定物）もしくは或る種類の陳列商品（不特定物）」を特定もしくは識別するための情報又はこれに対応する情報を、前記識別情報等記録手段から読み出して、無線手段を介して送信するための識別情報等送信手段（ハードウェアとしては前記識別情報等記録手段と一体に構成されていてもよい）と、
「前記識別情報等送信手段からの情報」もしくはこれに基づいて生成される情報を含む送信要求であって「前記『或る陳列商品（特定物）もしくは或る種類の陳列商品（不特定物）』に関する前記『メッセージ等』」の送信を求める送信要求を、送信要求側から、受信する送信要求受信手段と、
前記送信要求受信手段により受信された送信要求に基づいて、前記メッセージ等記録手段に記録されている『メッセージ等』であって前記送信要求に含まれる情報に対応する前記『或る陳列商品（特定物）もしくは或る種類の陳列商品（不特定物）』に関する前記『メッセージ等』を、前記送信要求側に向けて、送信するメッセージ等送信手段と、
を備えたことを特徴とする店舗内の陳列商品の情報受信装置。
【請求項９】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面もしくは近傍の位置」に配置されている識別情報等記録手段であって、前記の自らの配置位置に対応する「或る陳列商品（特定物）もしくは或る種類の陳列商品（不特定物）」を特定もしくは識別するための情報又はこれに対応する情報を、記録しておくための識別情報等記録手段と、
「前記識別情報等記録手段に記録されている、前記『或る陳列商品（特定物）もしくは或る種類の陳列商品（不特定物）』を特定もしくは識別するための情報又はこれに対応する情報」を、現実の店舗内の前記「或る陳列商品（特定物）もしくは或る種類の陳列商品（不特定物）」の近傍に存在している識別情報等受信手段に対して、無線手段を介して送信する識別情報等送信手段と、
前記識別情報等送信手段により送信された前記情報を受信したことに対応して、前記メッセージ等記録手段に記録されている『メッセージ等』であって前記情報に対応する前記『或る陳列商品（特定物）もしくは或る種類の陳列商品（不特定物）』についての顧客からの『メッセージ等』を取得すべく、前記メッセージ等記録手段にアクセスするアクセス手段と、
を備えたことを特徴とする現実の店舗内における陳列商品に関する情報提供装置。
【請求項１０】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面もしくは近傍の位置」に配置されている識別情報等記録手段であって、前記の自らの配置位置に対応する「或る陳列商品（特定物）もしくは或る種類の陳列商品（不特定物）」を特定もしくは識別するための情報又はこれに対応する情報を、記録しておくための識別情報等記録手段と、
現実の店舗において陳列されている或る陳列商品（特定物）又は或る陳列商品（不特定物）の種類との１対１の関係が分かるような「前記陳列商品の表面もしくは近傍の位置」に配置されている識別情報等送信手段であって、前記の自らの配置位置に対応する「或る陳列商品（特定物）もしくは或る種類の陳列商品（不特定物）」を特定もしくは識別するための情報又はこれに対応する情報を、前記識別情報等記録手段から読み出して、「現実の店舗内の前記『或る陳列商品（特定物）もしくは或る種類の陳列商品（不特定物）』の近傍に存在している機器」に向けて、無線手段を介して送信するための識別情報等送信手段（ハードウェアとしては前記識別情報等記録手段と一体に構成されていてもよい）と、
「前記識別情報等送信手段からの情報」もしくはこれに基づいて生成される情報を含む送信要求であって「前記『或る陳列商品（特定物）もしくは或る種類の陳列商品（不特定物）』に関する前記『メッセージ等』」の送信を求める送信要求を、送信要求側から、受信する送信要求受信手段と、
前記送信要求受信手段により受信された送信要求に基づいて、前記メッセージ等記録手段に記録されている『メッセージ等』であって前記情報に対応する前記『或る陳列商品（特定物）もしくは或る種類の陳列商品（不特定物）』に関する前記『メッセージ等』を、Ｗｅｂページとして、前記送信要求側に向けて、送信するＷｅｂページ送信手段と、
を備えたことを特徴とする現実の店舗内における陳列商品に関する情報提供装置。
【請求項１１】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面又はその近傍の位置」に配置されているアクセス情報記録手段であって、「前記メッセージ等記録手段に記録されている、前記の自らの配置位置に対応する『或る陳列商品（特定物）もしくは或る種類の陳列商品（不特定物）』に関する前記『メッセージ等』」にアクセスするための情報を、記録しておくためのアクセス情報記録手段と、
前記情報記録手段に記録されている「前記メッセージ等記録手段の中の、前記『或る陳列商品（特定物）もしくは或る種類の陳列商品（不特定物）』に関する前記『メッセージ等』、にアクセスするための情報」を、現実の店舗内の「或る陳列商品（特定物）もしくは或る種類の陳列商品（不特定物）」の近傍に存在している情報受信手段に対して、無線手段を介して送信するアクセス情報送信手段と、
を備えたことを特徴とする現実の店舗内における陳列商品に関する情報提供装置。
【請求項１２】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての感想、評価、意見、もしくは店舗側への問合せや要望や注文や申込みなどのメッセージ（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面又はその近傍の位置」に配置されているアクセス情報記録手段であって、「前記メッセージ等記録手段に記録されている、前記の自らの配置位置に対応する『或る陳列商品（特定物）もしくは或る種類の陳列商品（不特定物）』に関する前記『メッセージ等』」にアクセスするための情報を、記録しておくためのアクセス情報記録手段と、
現実の店舗において陳列されている或る陳列商品（特定物）又は或る陳列商品（不特定物）の種類との１対１の関係が分かるような「前記陳列商品の表面又はその近傍の位置」に配置されているアクセス情報送信手段であって、前記アクセス情報記録手段に記録されている「前記メッセージ等記録手段の中の、前記の自らの配置位置に対応する『或る陳列商品（特定物）もしくは或る種類の陳列商品（不特定物）』に関する前記『メッセージ等』、にアクセスするための情報」を、「現実の店舗内の前記『或る陳列商品（特定物）もしくは或る種類の陳列商品（不特定物）』の近傍に存在している機器」（以下「店内機器」という）側に、無線手段を介して送信するアクセス情報送信手段（ハードウェアとしては前記情報記録手段と一体に構成されていてもよい）と、
「前記のアクセス情報送信手段から送信された、アクセスするための情報」又はこれに基づいて生成される情報を含む送信要求であって「前記『或る陳列商品（特定物）もしくは或る種類の陳列商品（不特定物）』に関する前記『メッセージ等』」の送信を求める送信要求を、送信要求側から、受信する送信要求受信手段と、
前記送信要求受信手段により受信された送信要求に基づいて、前記メッセージ等記録手段に記録されている『メッセージ等』であって前記アクセス情報に対応する前記『或る陳列商品（特定物）もしくは或る種類の陳列商品（不特定物）』に関する前記『メッセージ等』を、前記送信要求側に向けて、送信するメッセージ等送信手段と、
を備えたことを特徴とする現実の店舗内における陳列商品に関する情報提供装置。
【請求項１３】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側が利用するサーバーに備えられているものを含む）と、
現実の店舗において陳列されている「前記陳列商品の表面又はその近傍の位置」に配置されているアクセス情報記録手段であって、「前記メッセージ等記録手段に記録されている、前記の自らの配置位置に対応する『或る陳列商品（特定物）もしくは或る種類の陳列商品（不特定物）』に関する前記『メッセージ等』」にアクセスするための情報を、記録しておくためのアクセス情報記録手段と、
を備えたことを特徴とする現実の店舗内における陳列商品に関する情報提供装置。
【請求項１４】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側が利用するサーバーに備えられているものを含む）と、
現実の店舗において陳列されている「前記陳列商品の表面又はその近傍の位置」に配置されているアクセス情報記録手段であって、「前記メッセージ等記録手段に記録されている、前記の自らの配置位置に対応する『或る陳列商品（特定物）もしくは或る種類の陳列商品（不特定物）』に関する前記『メッセージ等』」にアクセスするための情報を、記録しておくためのアクセス情報記録手段と、
前記メッセージ等記録手段に記録されている、前記『或る陳列商品（特定物）もしくは或る種類の陳列商品（不特定物）』に関する前記『メッセージ等』にアクセスするための情報を、現実の店舗内の「或る陳列商品（特定物）もしくは或る種類の陳列商品（不特定物）」の近傍に存在している情報受信手段に対して、無線手段を介して送信するアクセス情報送信手段と、
を備えたことを特徴とする現実の店舗内における陳列商品に関する情報提供装置。
【請求項１５】
現実の店舗内に配置された識別情報等記録手段であって、現実の店舗において陳列されている各「陳列商品（特定物）又は陳列商品（不特定物）の種類」（以下『商品等』という）との１対１の関係が分かるような位置（前記各商品の表面をも含む）に配置されており、「前記の自らが配置された位置に対応する『商品等』を識別するための識別情報もしくは前記『商品等』についての他の消費者の「感想、評価、意見、もしくは店舗側への問合せや要望や注文や申込みなどのメッセージ」にアクセスするための情報その他の前記識別情報に対応する情報」（以下『識別情報等』という）を記録しておくための識別情報等記録手段と、
現実の店舗内に配置された識別情報等送信手段（前記識別情報等記録手段とハードウェア的に一体でもよいし別体でもよい）であって、前記識別情報等記録手段に記録されている『識別情報等』を、ユーザー側に向けて、無線手段を介して、送信する識別情報等送信手段と、
店舗側が運営もしくは利用しているサーバーにより構成される（若しくは前記サーバーに備えられた）感想等受信手段であって、各『商品等』に関する「感想、評価、意見、もしくは店舗側への問合せや要望や注文や申込みなどのメッセージ」を、他の消費者側から通信ネットワークを介して受信する感想等受信手段と、
店舗側が運営もしくは利用しているサーバーにより管理される（若しくは前記サーバーに備えられた）感想等記録手段であって、前記感想受信手段により受信された各『商品等』に関する他の消費者の「感想、評価、意見、もしくは店舗側への問合せや要望や注文や申込みなどのメッセージ」を、「前記の各『商品等』を識別する識別情報もしくは前記各『商品等』についての他の消費者の「感想、評価、意見、もしくは店舗側への問合せや要望や注文や申込みなどのメッセージ」にアクセスするための情報その他の前記識別情報に対応する情報」（前記識別情報等記録手段が各『商品等』と対応付けてそれぞれ記録している『識別情報等』と同一の又はこれと対応する情報）と対応付けて記録しておくための感想等記録手段と、
店舗側が運営しているサーバーにより構成される（若しくは前記サーバーに備えられた）送信要求受信手段であって、ユーザー側から送信されてきた「或る『商品等』についての他の消費者の「感想、評価、意見、もしくは店舗側への問合せや要望や注文や申込みなどのメッセージ」の送信を求める送信要求（「前記識別情報等送信手段からユーザー側に送信された、前記或る『商品等』に対応する『識別情報等』を含む）」を受信する送信要求受信手段と、
店舗側が運営しているサーバーにより構成される（若しくは前記サーバーに備えられた）感想等送信手段であって、前記ユーザー側からの送信要求に対応して、「前記感想等記録手段に記録されている、前記送信要求に対応する『商品等』についての他の消費者の『感想、評価、意見、もしくは店舗側への問合せや要望や注文や申込みなどのメッセージ』」を、前記要求を送信してきたユーザー側に向けて送信する感想等送信手段と、
を含み、前記感想等送信手段は、前記ユーザー側からの送信要求であって前記識別情報等送信手段から送信された『識別情報等』に対応する「前記現実の店舗内に陳列されている或る『商品等』」についての他の消費者の「感想、評価、意見、もしくは店舗側への問合せや要望や注文や申込みなどのメッセージ」を送信してくれとの送信要求が、前記送信要求受信手段により受信されたことに対応して、「前記感想等記録手段に記録されている、前記『識別情報等』に対応する『商品等』についての他の消費者の『感想、評価、意見、もしくは店舗側への問合せや要望や注文や申込みなどのメッセージ』」を、前記ユーザー側に向けてネットワーク経由で送信するものである、ことを特徴とする現実の店舗内における陳列商品に関する情報提供装置。
【請求項１６】
現実の店舗内に配置された識別情報等記録手段であって、現実の店舗において陳列されている各『陳列商品（特定物）又は陳列商品（不特定物）の種類』（以下『商品等』という）との１対１の関係が分かるような位置（前記各商品の表面をも含む）に配置されており、「前記の自らが配置された位置に対応する『商品等』を識別するための識別情報もしくは前記『商品等』についての他の消費者の「感想、評価、意見、もしくは店舗側への問合せや要望や注文や申込みなどのメッセージ」にアクセスするための情報その他の前記識別情報に対応する情報」（以下『識別情報等』という）を記録しておくための識別情報等記録手段と、
現実の店舗内に配置された識別情報等送信手段（前記識別情報等記録手段とハードウェア的に一体でもよいし別体でもよい）であって、「前記識別情報等記録手段に記録されている、前記各『商品等』に関する『識別情報等』」を、ユーザー側に向けて、無線手段を介して、送信する識別情報等送信手段と、
店舗側が運営もしくは利用しているサーバーにより構成される（若しくは前記サーバーに備えられた）感想等受信手段であって、各『商品等』に関する他の消費者の「感想、評価、意見、もしくは店舗側への問合せや要望や注文や申込みなどのメッセージ」を、他の消費者側から通信ネットワークを介して受信する感想等受信手段と、
店舗側が運営もしくは利用しているサーバーにより管理される（若しくは前記サーバーに備えられた）感想等記録手段であって、前記感想等受信手段により受信された各『商品等』に関する他の消費者の「感想、評価、意見、もしくは店舗側への問合せや要望や注文や申込みなどのメッセージ」を、「前記の各『商品等』を識別するための識別情報もしくは前記各『商品等』についての他の消費者の「感想、評価、意見、もしくは店舗側への問合せや要望や注文や申込みなどのメッセージ」にアクセスするための情報その他の前記識別情報に対応する情報」（前記識別情報等記録手段が各『商品等』と対応付けてそれぞれ記録している『識別情報等』と同一の又はこれと対応する情報）と対応付けて記録しておくための感想等記録手段と、
店舗側が運営しているサーバーにより構成される（若しくは前記サーバーに備えられた）送信要求受信手段であって、ユーザー側から送信されてきた「或る『商品等』についての他の消費者の「感想、評価、意見、もしくは店舗側への問合せや要望や注文や申込みなどのメッセージ」の送信を求める送信要求（「前記識別情報等送信手段からユーザー側に送信された、前記或る『商品等』に対応する『識別情報等』を含む）」を受信する送信要求受信手段と、
店舗側が運営しているサーバーにより構成される（若しくは前記サーバーに備えられた）感想等送信手段であって、前記ユーザー側からの送信要求に対応して、「前記感想等記録手段に記録されている、前記送信要求に対応する『商品等』についての他の消費者の『感想、評価、意見、もしくは店舗側への問合せや要望や注文や申込みなどのメッセージ』」を、前記要求を送信してきたユーザー側に向けて送信する感想等送信手段と、
を含むことを特徴とする現実の店舗内における陳列商品に関する情報提供装置。
【請求項１７】
店舗側が運営もしくは利用しているサーバーにより構成される（若しくは前記サーバーに備えられた）感想等受信手段であって、各「商品（特定物）又は商品（不特定物）の種類」（以下『商品等』という）に関する他の消費者の「感想、評価、意見、もしくは店舗側への問合せや要望や注文や申込みなどのメッセージ」を、他の消費者側から通信ネットワークを介して受信する感想等受信手段と、
店舗側が運営もしくは利用しているサーバーにより管理される（若しくは前記サーバーに備えられた）感想等記録手段であって、前記感想等受信手段により受信された各『商品等』に関する他の消費者の「感想、評価、意見、もしくは店舗側への問合せや要望や注文や申込みなどのメッセージ」を、「各『商品等』を識別するための識別情報もしくは前記各『商品等』についての他の消費者の「感想、評価、意見、もしくは店舗側への問合せや要望や注文や申込みなどのメッセージ」にアクセスするための情報その他の前記識別情報に対応する情報」（後述の識別情報等記録手段が各『商品等』と対応付けてそれぞれ記録している後述の『識別情報等』と同一の又はこれと対応する情報）と対応付けて記録しておくための感想等記録手段と、
店舗側が運営しているサーバーにより構成される（若しくは前記サーバーに備えられた）送信要求受信手段であって、ユーザー側から送信されてきた「或る『商品等』についての他の消費者の「感想、評価、意見、もしくは店舗側への問合せや要望や注文や申込みなどのメッセージ」の送信を求める送信要求（後述の識別情報等記録手段が各『商品等』と対応付けてそれぞれ記録している後述の『識別情報等』又はこれと対応する情報を含む）」を受信する送信要求受信手段と、
店舗側が運営しているサーバーにより構成される（若しくは前記サーバーに備えられた）感想等送信手段であって、前記ユーザー側からの送信要求に対応して、「前記感想記録手段に記録されている、前記送信要求に対応する『商品等』についての他の消費者の『感想、評価、意見、もしくは店舗側への問合せや要望や注文や申込みなどのメッセージ』」を、前記要求を送信してきたユーザー側に向けて送信する感想等送信手段と、
現実の店舗内に配置された識別情報等記録手段であって、現実の店舗において陳列されている各『商品等』との１対１の関係が分かるような位置（各商品の表面をも含む）に配置されており、「前記の自らが配置された位置に対応する『商品等』を識別するための識別情報もしくは前記『商品等』についての他の消費者の「感想、評価、意見、もしくは店舗側への問合せや要望や注文や申込みなどのメッセージ」にアクセスするための情報その他の前記識別情報に対応する情報」（前記感想記録手段に記録されている「情報」と同一の又はこれと対応する情報。以下『識別情報等』という）を記録しておくための識別情報等記録手段と、
現実の店舗内に配置された識別情報等送信手段（前記識別情報等記録手段とハードウェア的に一体でもよいし別体でもよい）であって、前記識別情報等記録手段に記録されている『識別情報等』を、ユーザー側に向けて、無線手段を介して、送信する識別情報等送信手段と、
を含み、前記感想等送信手段は、ユーザー側からの送信要求であって前記識別情報等送信手段により送信された「前記現実の店舗内に陳列されている或る『商品等』を識別するための識別情報等」に対応する『商品等』についての他の消費者の「感想、評価、意見、もしくは店舗側への問合せや要望や注文や申込みなどのメッセージ」を送信してくれとの送信要求が、前記送信要求受信手段により受信されたことに対応して、「前記感想記録手段に記録されている、前記『識別情報等』に対応する『商品等』についての他のユーザーの『感想、評価、意見、もしくは店舗側への問合せや要望や注文や申込みなどのメッセージ』」を、前記ユーザー側に向けてネットワーク経由で送信するものである、ことを特徴とする現実の店舗内における陳列商品に関する情報提供装置。
【請求項１８】
店舗側が運営もしくは利用しているサーバーにより構成される（若しくは前記サーバーに備えられた）感想等受信手段であって、各「商品（特定物）又は商品（不特定物）の種類」（以下『商品等』という）に関する他の消費者の「感想、評価、意見、もしくは店舗側への問合せや要望や注文や申込みなどのメッセージ」を、他の消費者側から通信ネットワークを介して受信する感想等受信手段と、
店舗側が運営もしくは利用しているサーバーにより管理される（若しくは前記サーバーに備えられた）感想等記録手段であって、前記感想等受信手段により受信された各『商品等』に関する他の消費者の「感想、評価、意見、もしくは店舗側への問合せや要望や注文や申込みなどのメッセージ」を、「前記の各『商品等』を識別するための識別情報もしくは前記各『商品等』についての他の消費者の「感想、評価、意見、もしくは店舗側への問合せや要望や注文や申込みなどのメッセージ」にアクセスするための情報その他の前記識別情報に対応する情報」（後述の識別情報等記録手段が各『商品等』と対応付けてそれぞれ記録している後述の『識別情報等』と同一の又はこれと対応する情報）と対応付けて記録しておくための感想等記録手段と、
店舗側が運営しているサーバーにより構成される（若しくは前記サーバーに備えられた）送信要求受信手段であって、ユーザー側から送信されてきた「或る『商品等』についての他の消費者の「感想、評価、意見、もしくは店舗側への問合せや要望や注文や申込みなどのメッセージ」の送信を求める送信要求（「後述の識別情報等送信手段からユーザー側に送信された、前記或る『商品等』に対応する『識別情報等』」又はこれに対応する情報を含む）」を受信する送信要求受信手段と、
店舗側が運営しているサーバーにより構成される（若しくは前記サーバーに備えられた）感想等送信手段であって、前記ユーザー側からの送信要求に対応して、前記送信要求に含まれていた前記『識別情報等』」又はこれに対応する情報に基づいて、「前記感想等記録手段に記録されている、前記送信要求に対応する『商品等』についての他の消費者の『感想、評価、意見、もしくは店舗側への問合せや要望や注文や申込みなどのメッセージ』」を、前記要求を送信してきたユーザー側に向けてネットワーク経由で送信する感想等送信手段と、
現実の店舗内に配置された識別情報等記録手段であって、現実の店舗において陳列されている各『商品等』との１対１の関係が分かるような位置（各商品の表面をも含む）に配置されており、「前記の自らが配置された位置に対応する『商品等』を識別するための識別情報もしくは前記『商品等』についての他の消費者の「感想、評価、意見、もしくは店舗側への問合せや要望や注文や申込みなどのメッセージ」にアクセスするための情報その他の前記識別情報に対応する情報」（前記感想記録手段に記録されている「情報」と同一の又はこれと対応する情報。以下『識別情報等』という）を記録しておくための識別情報等記録手段と、
現実の店舗内に配置された識別情報等送信手段（前記識別情報等記録手段とハードウェア的に一体でもよいし別体でもよい）であって、前記識別情報等記録手段に記録されている『識別情報等』を、ユーザー側に向けて、無線手段を介して、送信する識別情報等送信手段と、
を含むことを特徴とする現実の店舗内における陳列商品に関する情報提供装置。
【請求項１９】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面もしくは近傍の位置」に配置されている識別情報等記録手段であって、前記の自らの配置位置に対応する「或る陳列商品（特定物）もしくは或る種類の陳列商品（不特定物）」を特定もしくは識別するための情報又はこれに対応する情報を、記録しておくための識別情報等記録手段と、
「前記識別情報等記録手段に記録されている、前記『或る陳列商品（特定物）もしくは或る種類の陳列商品（不特定物）』を特定もしくは識別するための情報又はこれに対応する情報」を、前記「或る陳列商品（特定物）もしくは或る種類の陳列商品（不特定物）」の近傍に存在している識別情報等受信手段に対して、無線手段を介して送信する識別情報等送信手段と、
前記識別情報等送信手段により送信された前記情報を受信したことに対応して、前記メッセージ等記録手段に記録されている『メッセージ等』であって前記情報に対応する前記『或る陳列商品（特定物）もしくは或る種類の陳列商品（不特定物）』についての顧客からの『メッセージ等』を、前記メッセージ等記録手段から受信して表示するメッセージ等表示手段と、
を備えたことを特徴とする現実の店舗内における陳列商品に関する情報提供装置。
【請求項２０】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面もしくは近傍の位置」に配置されている識別情報等記録手段であって、前記の自らの配置位置に対応する「或る陳列商品（特定物）もしくは或る種類の陳列商品（不特定物）」を特定もしくは識別するための情報又はこれに対応する情報を、記録しておくための識別情報等記録手段と、
現実の店舗において陳列されている或る陳列商品（特定物）又は或る陳列商品（不特定物）の種類との１対１の関係が分かるような「前記陳列商品の表面もしくは近傍の位置」に配置されている識別情報等送信手段であって、前記の自らの配置位置に対応する「或る陳列商品（特定物）もしくは或る種類の陳列商品（不特定物）」を特定もしくは識別するための情報又はこれに対応する情報を、前記識別情報等記録手段から読み出して、無線手段を介して送信するための識別情報等送信手段（ハードウェアとしては前記識別情報等記録手段と一体に構成されていてもよい）と、
「前記識別情報等送信手段からの情報」もしくはこれに基づいて生成される情報を含む送信要求であって「前記『或る陳列商品（特定物）もしくは或る種類の陳列商品（不特定物）』に関する前記『メッセージ等』」の送信を求める送信要求を、送信要求側から、受信する送信要求受信手段と、
前記送信要求受信手段により受信された送信要求に基づいて、前記メッセージ等記録手段に記録されている『メッセージ等』であって前記送信要求に含まれる情報に対応する前記『或る陳列商品（特定物）もしくは或る種類の陳列商品（不特定物）』に関する前記『メッセージ等』を、前記送信要求側に向けて、送信するメッセージ等送信手段と、
を備えたことを特徴とする店舗内の陳列商品の情報受信装置。
【請求項２１】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面もしくは近傍の位置」に配置されている識別情報等記録手段であって、前記の自らの配置位置に対応する「或る陳列商品（特定物）もしくは或る種類の陳列商品（不特定物）」を特定もしくは識別するための情報又はこれに対応する情報を、記録しておくための識別情報等記録手段と、
「前記識別情報等記録手段に記録されている、前記『或る陳列商品（特定物）もしくは或る種類の陳列商品（不特定物）』を特定もしくは識別するための情報又はこれに対応する情報」を、現実の店舗内の前記「或る陳列商品（特定物）もしくは或る種類の陳列商品（不特定物）」の近傍に存在している識別情報等受信手段に対して、無線手段を介して送信する識別情報等送信手段と、
前記識別情報等送信手段により送信された前記情報を受信したことに対応して、前記メッセージ等記録手段に記録されている『メッセージ等』であって前記情報に対応する前記『或る陳列商品（特定物）もしくは或る種類の陳列商品（不特定物）』についての顧客からの『メッセージ等』を取得すべく、前記メッセージ等記録手段にアクセスするアクセス手段と、
を備えたことを特徴とする現実の店舗内における陳列商品に関する情報提供装置。
【請求項２２】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面もしくは近傍の位置」に配置されている識別情報等記録手段であって、前記の自らの配置位置に対応する「或る陳列商品（特定物）もしくは或る種類の陳列商品（不特定物）」を特定もしくは識別するための情報又はこれに対応する情報を、記録しておくための識別情報等記録手段と、
現実の店舗において陳列されている或る陳列商品（特定物）又は或る陳列商品（不特定物）の種類との１対１の関係が分かるような「前記陳列商品の表面もしくは近傍の位置」に配置されている識別情報等送信手段であって、前記の自らの配置位置に対応する「或る陳列商品（特定物）もしくは或る種類の陳列商品（不特定物）」を特定もしくは識別するための情報又はこれに対応する情報を、前記識別情報等記録手段から読み出して、「現実の店舗内の前記『或る陳列商品（特定物）もしくは或る種類の陳列商品（不特定物）』の近傍に存在している機器」に向けて、無線手段を介して送信するための識別情報等送信手段（ハードウェアとしては前記識別情報等記録手段と一体に構成されていてもよい）と、
「前記識別情報等送信手段からの情報」もしくはこれに基づいて生成される情報を含む送信要求であって「前記『或る陳列商品（特定物）もしくは或る種類の陳列商品（不特定物）』に関する前記『メッセージ等』」の送信を求める送信要求を、送信要求側から、受信する送信要求受信手段と、
前記送信要求受信手段により受信された送信要求に基づいて、前記メッセージ等記録手段に記録されている『メッセージ等』であって前記情報に対応する前記『或る陳列商品（特定物）もしくは或る種類の陳列商品（不特定物）』に関する前記『メッセージ等』を、Ｗｅｂページとして、前記送信要求側に向けて、送信するＷｅｂページ送信手段と、
を備えたことを特徴とする現実の店舗内における陳列商品に関する情報提供装置。
【請求項２３】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての「感想、評価、意見、もしくは店舗側への問合せや要望や注文や申込みなどのメッセージ」（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面又はその近傍の位置」に配置されているアクセス情報記録手段であって、「前記メッセージ等記録手段に記録されている、前記の自らの配置位置に対応する『或る陳列商品（特定物）もしくは或る種類の陳列商品（不特定物）』に関する前記『メッセージ等』」にアクセスするための情報を、記録しておくためのアクセス情報記録手段と、
前記情報記録手段に記録されている「前記メッセージ等記録手段の中の、前記『或る陳列商品（特定物）もしくは或る種類の陳列商品（不特定物）』に関する前記『メッセージ等』、にアクセスするための情報」を、現実の店舗内の「或る陳列商品（特定物）もしくは或る種類の陳列商品（不特定物）」の近傍に存在している情報受信手段に対して、無線手段を介して送信するアクセス情報送信手段と、
を備えたことを特徴とする現実の店舗内における陳列商品に関する情報提供装置。
【請求項２４】
或る現実の店舗において陳列されている「或る陳列商品（特定物）もしくは或る種類の陳列商品（不特定物）」に関して顧客がネットワークを介して送信した、前記「或る陳列商品（特定物）もしくは或る種類の陳列商品（不特定物）」についての感想、評価、意見、もしくは店舗側への問合せや要望や注文や申込みなどのメッセージ（以下、『メッセージ等』という）を、前記「或る陳列商品（特定物）もしくは或る種類の陳列商品（不特定物）」と対応付けて記録しておくためのメッセージ等記録手段（店舗側のサーバーに備えられているものを含む）と、
現実の店舗において陳列されている或る陳列商品（特定物）又は或る陳列商品（不特定物）の種類との１対１の関係が分かるような「前記陳列商品の表面又はその近傍の位置」に配置されているアクセス情報記録手段であって、「前記メッセージ等記録手段に記録されている、前記の自らの配置位置に対応する『或る陳列商品（特定物）もしくは或る種類の陳列商品（不特定物）』に関する前記『メッセージ等』」にアクセスするための情報を、記録しておくためのアクセス情報記録手段と、
現実の店舗において陳列されている或る陳列商品（特定物）又は或る陳列商品（不特定物）の種類との１対１の関係が分かるような「前記陳列商品の表面又はその近傍の位置」に配置されているアクセス情報送信手段であって、前記アクセス情報記録手段に記録されている「前記メッセージ等記録手段の中の、前記の自らの配置位置に対応する『或る陳列商品（特定物）もしくは或る種類の陳列商品（不特定物）』に関する前記『メッセージ等』、にアクセスするための情報」を、「現実の店舗内の前記『或る陳列商品（特定物）もしくは或る種類の陳列商品（不特定物）』の近傍に存在している機器」（以下「店内機器」という）側に、無線手段を介して送信するアクセス情報送信手段（ハードウェアとしては前記情報記録手段と一体に構成されていてもよい）と、
「前記のアクセス情報送信手段から送信された、アクセスするための情報」又はこれに基づいて生成される情報を含む送信要求であって「前記『或る陳列商品（特定物）もしくは或る種類の陳列商品（不特定物）』に関する前記『メッセージ等』」の送信を求める送信要求を、送信要求側から、受信する送信要求受信手段と、
前記送信要求受信手段により受信された送信要求に基づいて、前記メッセージ等記録手段に記録されている『メッセージ等』であって前記アクセス情報に対応する前記『或る陳列商品（特定物）もしくは或る種類の陳列商品（不特定物）』に関する前記『メッセージ等』を、前記送信要求側に向けて、送信するメッセージ等送信手段と、
を備えたことを特徴とする現実の店舗内における陳列商品に関する情報提供装置。